(57)【特許請求の範囲】
【請求項１】
放熱を要する通信機器の本体を収容する筐体と、
前記筐体と別体であって、該筐体に装着される放熱体と、
前記放熱体に予め固定され乃至該放熱体と一体的に形成され、所定箇所に取付けられる取付金具と、
前記筐体に連結され、操作により可動な操作部材と、
前記操作部材に連結され、該操作部材の操作に従動して前記筐体に対し変位することにより、前記放熱体と係合又は係合解除される接続金具と、
前記放熱体上に設けられ、前記接続金具と解除可能に係合することにより、該放熱体に前記筐体を装着させる係合部と、
を有することを特徴とする通信機器の設置構造。
【請求項２】
前記筐体が、前記接続金具を支持すると共に該接続金具の前記変位を案内するガイド部を備えることを特徴とする請求項１記載の通信機器の設置構造。
【請求項３】
前記接続金具が前記筐体の前記取付面側に配置されていること、さらに、
前記操作部材が前記筐体の取付面とは反対側、すなわち、前面側に延在し、これによって、該操作部材が設置作業者の手前に延在し、該設置作業者は前記筐体の前面における前記操作部材の操作によって、該筐体を該放熱体に装着することができること、
を特徴とする請求項１記載の通信機器の設置構造。
【請求項４】
前記放熱体に、前記筐体を支持しつつ滑動させることにより、該筐体の装着を容易化させる固定台が付設されたことを特徴とする請求項１記載の通信機器の設置構造。
【請求項５】
放熱を要する通信機器の本体を収容する筐体と、
前記筐体と別体であって、該筐体に装着される放熱体と、
前記放熱体上に設けられた係合ピンと、
前記放熱体に予め固定され乃至該放熱体と一体的に形成され、所定箇所に取付けられる取付金具と、
前記筐体に枢支され、かつ該筐体の前記放熱体に対する取付面とは反対側に延在され、操作により枢動するハンドルと、
前記筐体の前記取付面側に配置され、かつ前記ハンドルにピンを介して連結され、該ハンドルの操作に従動して前記筐体に対し変位することにより、前記放熱体と係合又は係合解除される接続金具と、
前記筐体上に設けられ、前記放熱体に該筐体が装着又は装着解除される際、前記接続金具の変位を案内するガイドピンと、
前記接続金具上に設けられ、前記ガイドピンと変位可能に係合するガイド窓と、
前記接続金具上に設けられ、前記放熱体に該筐体が装着された際、前記係合ピンと解除可能に係合する切欠きと、
を有することを特徴とする通信機器の設置構造。
【発明の詳細な説明】
【０００１】
【発明の属する技術分野】
本発明は、通信機器の設置構造に関し、特に、放熱を要する通信機器の設置構造に関し、中でも、高所等の設置困難な箇所に設置される通信機器の屋外設置構造に関する。
【０００２】
【従来の技術】
昨今、通信業界の発展は急速で目まぐるしいものがあり、次第に、通信機器を設置するためのスペースの確保が困難になってきている。そこで、通信事業者は、通信機器を小スペースで設置できるように、ポール先端に取付けたり、壁に掛けたりすることができる通信機器のラインアップの充実を要望している。
【０００３】
ところで、通信機器は、該通信機器に用いられている回路基板の高密度実装化に伴い、その発熱密度は高くなる一方である。これによって、通信機器の本体を収容している筐体内部はますます高温になっていき、通信機器に使われている回路部品の周囲温度を動作保証温度以下に低下させるため、発生する熱を効率よく前記筐体外部へ放散させる必要がある。このため、この筐体には大型の放熱フィンが装着されている。また、このような放熱フィンの材質としては、当然、その熱伝導率が高い方が好ましい。しかし、一般的に、熱伝導率が高い材料はその比重も大きいため、このような材料からなる放熱フィンは重くなる。
【０００４】
ここで、従来の通信機器の設置構造及びその設置方法を説明する。図８は、従来の通信機器の設置構造及びその設置方法を説明するための斜視図であり、図９は、その組立状態を示す斜視図である。
【０００５】
図８及び図９を参照すると、従来の通信機器においては、予め、通信機器の本体を収容している筐体１１４上に放熱フィン１１４ａが搭載（一体形成）されている。この筐体１１４をポール先端に取付ける場合、設置作業者は、まず、放熱フィン１１４ａ上に、予め、固定金具１１５を第１のボルト１１７によって固定しておく。次に、設置作業者は、ポールに昇り、切欠き環状の取付金具１１６をポールに巻き回し、続いて、放熱フィン１１４ａを備えているためきわめて重い筐体１１４を保持しながら、その手を放熱フィン１１４ａの背面側に回し、固定金具１１５を第２のボルト１１８を用いて取付金具１１６に固定する。このようにして、通信機器がポール先端に設置される。
【０００６】
【発明が解決しようとする課題】
しかしながら、上記した従来の通信機器の設置構造及びその設置方法は、下記記載の問題点を有している。
【０００７】
すなわち、その問題点は、通信機器を設置ないし取付ける際の作業性が悪い、ということである。
【０００８】
その理由は、通信機器の本体を収容している筐体１１４をポール先端に取付ける際、大型で重い筐体１１４を保持しながら、取付作業を実行する必要があるためである。なぜなら、筐体１１４上に、予め、大型で重い放熱フィン１１４ａが搭載（一体形成）されているからである。
【０００９】
本発明の目的は、高所等の設置困難な場所であっても、設置作業が容易な通信機器の設置構造を提供することである。
【００１０】
【課題を解決するための手段】
本発明者は、ポール等の高所又はその他の設置困難な箇所に設置ないし取付けられる、屋外設置用の通信機器、特に、通信基地局となる屋外設置用の通信機器を、該機器内に発生する熱を放熱させる放熱体と、通信機器の本体を収容する筐体とに分割して取り扱うことにより、通信機器の設置ないし取付作業性が大幅に改善されることを見出し、さらに、鋭意研究を進めた結果、本発明を完成するに至ったものである。
【００１１】
すなわち、前記目的を達成するため、本発明は、放熱を要する通信機器の本体を収容する筐体と、前記筐体と別体であって、該筐体に装着される放熱体と、前記放熱体に予め固定され乃至該放熱体と一体的に形成され、所定箇所に取付けられる取付金具と、前記筐体に連結され、操作により可動な操作部材と、前記操作部材に連結され、該操作部材の操作に従動して前記筐体に対し変位することにより、前記放熱体と係合又は係合解除される接続金具と、前記筐体上に設けられ、前記放熱体に該筐体が装着又は装着解除される際、前記接続金具の変位を案内するガイド部と、前記放熱体上に設けられ、前記接続金具と解除可能に係合することにより、該放熱体に前記筐体を装着させる係合部と、を有することを特徴とする通信機器の設置構造を提供する。
【００１２】
この通信機器の設置構造においては、通信機器の本体を収容する筐体（通信機器本体）と放熱体とを分離して取り扱うことができるため、放熱体を先に所定の設置箇所（取付箇所）に取付けておき、後から、この放熱体に前記筐体（通信機器本体）を装着することができる。これによって、設置作業者が、一度に運搬及び保持しなければならない重量が削減されるため、通信機器の本体を収容する筐体を設置箇所まで運び上げる作業が容易となり、通信機器の固定作業も容易となる。したがって、この通信機器の設置構造は、特に、通信機器をポール先端などの高所等、設置困難な箇所に設置する場合に、好適に適用されるものである。
【００１３】
【発明の実施の形態】
以下、本発明の好ましい実施の形態を説明する。
【００１４】
本発明の好ましい実施の形態においては、筐体上に、放熱体に筐体が装着又は装着解除される際、筐体と放熱体を接続するための接続金具を支持すると共に該接続金具の変位を案内するガイド部が設けられる。このガイド部によって、筐体と放熱体とを簡単かつ確実に密着させることができるため、設置作業者によって、放熱性能にバラツキが生じることが抑制される。
【００１５】
本発明の好ましい実施の形態においては、接続金具が筐体の取付面（背面）側に配置され、さらに、操作部材が筐体の取付面とは反対側、すなわち、前面側に延在する。この実施の形態によれば、操作部材が設置作業者の手前に位置することとなる。したがって、設置作業者は筐体の前面における操作部材の操作のみによって、筐体を、操作部材に従動する接続金具を介して、放熱体に装着することができる。これによって、設置作業時間が短縮される。
【００１６】
本発明の好ましい実施の形態においては、放熱体に、筐体を支持しつつ滑動させることにより、この筐体の装着を容易化させる固定台が付設される。この固定台によって、設置作業中における設置作業者の負担重量が低減される。
【００１７】
本発明の好ましい実施の形態においては、放熱を要する通信機器を、高所等の設置困難箇所に設置する際、取付金具により、予め、所定箇所に該放熱体を取付けておき、次に、所定箇所に取付けられた放熱体に、通信機器の本体を収容している筐体を装着する。
【００１８】
【実施例】
前記した本発明の実施の形態についてさらに詳細に説明するため、以下、本発明の一実施例について図面を参照して説明する。
【００１９】
図１は、本発明の一実施例に係る通信機器の設置構造を説明するための分解斜視図であり、図２はその組立状態を示す斜視図である。
【００２０】
図１及び図２を参照すると、放熱フィン２と別体の筐体１には、放熱を要する通信機器の本体（通信機器を構成する電子部品類の集合体）が収容されている。筐体１は、設置作業者がこの筐体１をつかみ易いような断面形状に加工ないしプレスされている。
【００２１】
筐体１の両側面上には、ガイドピン（ガイド部）８がそれぞれ設けられている。ガイドピン８の頭部は径大とされ、これによって、ガイドピン８の端部には片側フランジが形成されている。
【００２２】
筐体１の両側面上には、枢軸ピン９をそれぞれ介して、コの字型のハンドル（操作部材）１１が筐体１の前面を跨ぐように枢支されている。
【００２３】
ハンドル１１の両端部には、連結ピン１０をそれぞれ介して、左右の接続金具６の中央部が連結されている（リンクされている）。なお、図１及び図２中、向かって左側の接続金具は不図示であるから、以下、主として、右側の接続金具６について説明するが、左右の接続金具６は互いに同様の構造及び機能を有するものである。接続金具６は、ハンドル１１が操作されて枢動することにより、これに従動して、筐体１に対し主として上下に変位する。
【００２４】
一方、接続金具６の一側と他側には、湾曲した（そら豆状の）ガイド窓６ａがそれぞれ形成されている。ガイド窓６ａはガイドピン８と変位可能に係合しており、ガイドピン８はガイド窓６ａを介して接続金具６の変位を案内する。なお、ガイド窓６ａは、ガイドピン８の端部に形成された片側フランジの大きさに対応して、ガイドピン８が抜けないような大きさに形成されている。これによって、接続金具６は、筐体１に対して変位可能に、ガイドピン８と筐体１の間に挟み込まれている。
【００２５】
接続金具６の縁部には、縦断面がつり針状である切欠き６ｂが形成されている。換言すれば、切欠き６ｂは湾曲して形成されている。これによって、切欠き６ｂの湾曲部より奥側に後述の係合ピン７が係合した際、係合ピン７が切欠き６ｂから抜け難くされている。また、切欠き６ｂの湾曲の度合いは、ガイド窓の湾曲の度合いに対応してする。放熱フィン２に筐体１を装着する際、すなわち、通信機器の設置時、切欠き６ｂ及び後述の係合ピン７とが解除可能に係合することにより、筐体１と放熱フィン２が一体化される。なお、切欠き６ｂが、常に、筐体１の背面より外方に位置しているよう、接続金具６は、ハンドル１１に対して連結されると共に、ガイドピン８によって規制されている。
【００２６】
一方、放熱フィン２は、表面積を増大させるため、多数の放熱板を備えている。なお、これらの放熱板は、空気の対流を阻害しないよう、水平方向に沿って互いに対向するよう配列されることが好ましい。また、放熱フィン２の材質としては、アルミニウム押出材、又は、耐候性を有するよう表面処理された金属材を用いることが好ましい。
【００２７】
放熱フィン２の両側面には、係合ピン７が設けられている。係合ピン７は、円柱状であり、その頭部は径大とされ、これによって、係合ピン７の端部には片側フランジが形成されている。
【００２８】
放熱フィン２には、放熱フィン２の筐体１取付面（前面）及び背面で開口する座ぐり１３が形成されている。筐体１取付面において、座ぐり１３の筐体１の取付面側の開口周囲は、後述のボルト５頭部が、筐体１取付面より突出しないよう（ボルト５の頭部が放熱フィン２内に埋没できるよう）、僅かに削り込まれている。これによって、筐体１は放熱フィン２に、可及的に広い面積で密着することができる。
【００２９】
放熱フィン２の下部において、筐体１の取付面（前面）側には、固定台４が設けられている。設置作業時、筐体１が、固定台４上に支持されつつ滑動していくことにより、筐体１を放熱フィン２に装着する作業が容易化される。
【００３０】
放熱フィン２の背面には、前述のボルト５を介して、切欠き環状の取付金具３が螺合される。なお、取付金具３の材質としては、放熱フィン２と同様に耐候性のある金属、例えば、ステンレス、或いは、耐候性を有するよう表面処理された金属材を用いることが好ましい。
【００３１】
次に、本発明の一実施例に係る通信機器の設置方法を説明する。
【００３２】
図３（Ａ）〜図３（Ｃ）と、図４（Ａ）〜図４（Ｃ）と、図５（Ａ）〜図５（Ｃ）と、図６（Ａ）〜図６（Ｃ）は、順に、本発明の一実施例に係る通信機器の設置方法を説明するための第１〜第４の工程図である。
【００３３】
まず、図２を参照して、設置作業者は、予め、切欠き環状の取付金具３の一端のみを、該取付金具３と螺合するボルト５を用いて、放熱フィン２に固定しておく。
【００３４】
次に、設置作業者は、通信機器を設置するポール直下にリフト車を停車させ、そのリフト台をポール先端付近まで上昇させる。
【００３５】
図２を参照して、設置作業者は、取付金具３をポール外周面に巻き付け、その後、取付金具３の他端をボルト５を用いて放熱フィン２に固定する。この作業は、放熱フィン２の前面側から行うことができる。かくして、放熱フィン２はポール先端に確実に締付固定される。
【００３６】
次に、図２を参照して、設置作業者は、ハンドル１１を上方に持ち上げた状態で、筐体１を放熱フィン２の固定台４上に載置する。
【００３７】
次に、図３（Ａ）〜図３（Ｃ）を参照して、設置作業者は、筐体１を、放熱フィン２の取付面（前面）に向かって、切欠き６ｂ（図３（Ｂ）参照）と係合ピン７が係合可能な所定位置まで滑動させる。
【００３８】
図４（Ａ）〜図４（Ｃ）を参照して、次に、設置作業者は、ハンドル１１を押し下げる。これによって、ハンドル１１の枢軸ピン９より他側が上昇すると共に、ハンドル１１の他側に連結されている接続金具６が持ち上がる。このとき、筐体１に形成されたガイドピン８によって、接続金具６が支持されると共に、該接続金具６の変位が案内されることにより、接続金具６は設計意図に従って、スムーズに持ち上がる。
【００３９】
図４（Ａ）〜図４（Ｃ）を参照して、さらに、設置作業者がハンドル１１を押し下げると、接続金具６がさらに持ち上がることにより、接続金具６の切欠き６ｂの入口部に、放熱フィン２の係合ピン７が嵌合する。切欠き６ｂの入口部は、係合ピン７を受容し易くなるように、拡開ないしテーパ状に形成されている。
【００４０】
図５（Ａ）〜図５（Ｃ）を参照して、さらに、設置作業者は、ハンドル１１を押し下げ、切欠き６ｂの奥に向かって係合ピン７を変位させる。この間も、接続金具６は、該接続金具６のガイド窓と変位可能に係合するガイドピン８によって、案内されている。
【００４１】
図６（Ａ）〜図６（Ｃ）を参照して、さらに、設置作業者が、ハンドル１１を押し下げると、係合ピン７が切欠き６ｂの最奥部に変位し、係合ピン７が切欠き６ｂに係合ないし係止される。同時に、ガイドピン８も、ガイド窓６ａの最奥部に変位し、ガイドピン８がガイド窓６ａに係合ないし係止される。この状態において、筐体１の背面と放熱フィン２の取付面（前面）とが密着し、かくして、通信機器の設置作業が終了する。
【００４２】
ところで、本発明の一実施例に係る通信機器の設置構造においては、放熱フィンと通信機器本体を収容する筐体とを分離することができるため、通信機器の発熱量に応じて、種々の放熱フィンを選択することができる。すなわち、この発熱量が大きい場合には、図７（Ａ）に示すような大型の放熱フィン２０を用い、一方、この発熱量が小さい場合には、図７（Ｂ）に示すような小型の放熱フィンに筐体１９を装着することができる。したがって、通信機器の発熱量に変更があった場合でも、筐体の形状を変更せずに、放熱フィンの方を変更すればよい。これによって、筐体の標準化、すなわち、異なる通信機器に対して共通の筐体を用いることができる。この結果、通信機器が更新された場合であっても、筐体を成形するための型を、その都度作製する必要がない、というさらなる効果が生じる。
【００４３】
【発明の効果】
以上説明したように、本発明は下記記載の効果を奏するものである。
【００４４】
本発明の第１の効果は、通信機器の設置作業が容易となる、ということである。
【００４５】
その理由は、通信機器と放熱体を別体としたことにより、通信機器と放熱体を別々に取り扱うことができ、これによって、設置作業者が、設置ないし取付作業時に、一度に運搬及び保持しなければならない重量が低減されるからである。
【００４６】
本発明の第２の効果は、特に、ポール先端のような高所等の設置困難箇所における通信機器の設置作業が容易となる、ということである。
【００４７】
その理由は、上記のように、設置作業者が、設置作業時に、一度に運搬及び保持しなければならない重量が低減されるからである。
【００４８】
また、本発明の第１の予期せぬ効果は、通信機器の設置構造に関わる、製造及び開発コストが削減されることである。
【００４９】
その理由の一つは、通信機器を収容する筐体と放熱体を別体としたことにより、設置済みの放熱体に対して通信機器の方を交換したり、或いは、通信機器に対して放熱体の方を交換したりすることができるからである。
【００５０】
その理由の二つは、筐体の標準化、すなわち、異なる通信機器に対して共通の筐体を用いることができ、これによって、通信機器が更新された場合であっても、筐体を成形するための型を、その都度、開発及び作製する必要がないからである。
【図面の簡単な説明】
【図１】本発明の一実施例に係る通信機器の設置構造及びその設置方法を説明するための分解斜視図である。
【図２】本発明の一実施例に係る通信機器の設置構造及びその設置方法を説明するため、その組立状態を示す斜視図である。
【図３】（Ａ）及び（Ｂ）は、本発明の一実施例に係る通信機器の設置構造及びその設置方法を説明するための第１の工程図であって、（Ａ）は分解斜視図、（Ｂ）は（Ａ）の矢視Ｂ部分の拡大図、（Ｃ）は（Ａ）の矢視Ｃ部分の拡大図である。
【図４】（Ａ）及び（Ｂ）は、本発明の一実施例に係る通信機器の設置構造及びその設置方法を説明するための第２の工程図であって、（Ａ）は斜視図、（Ｂ）は（Ａ）の矢視Ｂ部分の拡大図、（Ｃ）は（Ａ）の矢視Ｃ部分の拡大図である。
【図５】（Ａ）及び（Ｂ）は、本発明の一実施例に係る通信機器の設置構造及びその設置方法を説明するための第３の工程図であって、（Ａ）は斜視図、（Ｂ）は（Ａ）の矢視Ｂ部分の拡大図、（Ｃ）は（Ａ）の矢視Ｃ部分の拡大図である。
【図６】（Ａ）及び（Ｂ）は、本発明の一実施例に係る通信機器の設置構造及びその設置方法を説明するための第４の工程図であって、（Ａ）は斜視図、（Ｂ）は（Ａ）の矢視Ｂ部分の拡大図、（Ｃ）は（Ａ）の矢視Ｃ部分の拡大図である。
【図７】（Ａ）及び（Ｂ）は、本発明の一実施例に係る通信機器の設置構造の利点を説明するための図であって、（Ａ）は筐体を装着可能な大型の放熱フィンを示す部分斜視図、（Ｂ）は小型の放熱フィン及びそれに装着された筐体を示す斜視図である。
【図８】従来の通信機器の設置構造及びその設置方法を説明するための分解斜視図である。
【図９】従来の通信機器の設置構造及びその設置方法を説明するため、その組立状態を示す斜視図である。
【符号の説明】
１  通信機器の本体を収容する筐体
２  放熱フィン
３  取付金具
４  固定台
５  ボルト
６  接続金具
６ａ  ガイド窓
６ｂ  切欠き
７  係合ピン
８  ガイドピン
９  ハンドルの枢軸ピン
１０  ハンドルと接続金具の連結ピン
１１  ハンドル
１３  座ぐり
１９  小型の放熱フィンに装着された筐体
２０  大型の放熱フィン
２１  小型の放熱フィン
【図１】
0003757103.tif 000002
【図２】
0003757103.tif 000003
【図３】
0003757103.tif 000004
【図４】
0003757103.tif 000005
【図５】
0003757103.tif 000006
【図６】
0003757103.tif 000007
【図７】
0003757103.tif 000008
【図８】
0003757103.tif 000009
【図９】
0003757103.tif 000010